(57)【要約】【課題】本発明は、使用者が着座していない際には容易に移動可能で、使用者が着座している際には移動が抑制される座椅子を提供することを目的とする。【解決手段】本発明の座椅子は、床面Ｆに載置され、使用者が腰掛けるために用いられる座椅子１であって、床面Ｆに下端が接触するように、床面Ｆに載置される基台２と、使用者が腰掛ける座面３１ａを上端に有し、基台２に昇降可能に支持される座台３と、基台２と座台３との間に設けられ、基台２に対して座台３を上方に付勢する付勢部４とを備え、座椅子１が、使用者の体重が座面３１ａに負荷されていない状態では、付勢部４の付勢力により、基台２に対して座台３が上昇して、座台３の下端が床面Ｆから離間し、使用者の体重が座面３１ａに負荷されている状態では、付勢部４の付勢力に抗して、基台２に対して座台３が下降して、座台３の下端が床面Ｆに接触するように構成されることを特徴とする。【選択図】図１
2019198458.tif 000002
【特許請求の範囲】
【請求項１】
床面に載置され、使用者が腰掛けるために用いられる座椅子であって、
前記床面に下端が接触するように、前記床面に載置される基台と、
前記使用者が腰掛ける座面を上端に有し、前記基台に昇降可能に支持される座台と、
前記基台と前記座台との間に設けられ、前記基台に対して前記座台を上方に付勢する付勢部と
を備え、
前記座椅子が、
前記使用者の体重が前記座面に負荷されていない状態では、前記付勢部の付勢力により、前記基台に対して前記座台が上昇して、前記座台の下端が前記床面から離間し、
前記使用者の体重が前記座面に負荷されている状態では、前記付勢部の付勢力に抗して、前記基台に対して前記座台が下降して、前記座台の下端が前記床面に接触するように構成される、
座椅子。
【請求項２】
前記付勢部が、前記座台に対して、前記座台の前側よりも後側の方が大きい付勢力を付与するように構成されている、請求項１記載の座椅子。
【請求項３】
前記付勢部が負荷を受けていない状態において、前記座台が、前記床面に対して、前記座台の前側よりも後側の方が高くなるように構成されている、請求項１または２記載の座椅子。
【請求項４】
前記基台の下端および前記座台の下端が、前記床面に摺動接触するように構成され、
前記座台の下端が、前記基台の下端よりも、前記床面に対する摩擦係数が大きくなるように形成されている、請求項１記載の座椅子。
【請求項５】
前記基台が、
前記床面に下面が接触する接床部と、
前記接床部の水平方向の外周側から上方に延びる上側延在部と
を備え、
前記座台が、
上面に前記座面を有する座部と、
前記座部の水平方向の外周側から下方に延びる下側延在部と
を備え、
前記付勢部が、前記座部の下面と前記接床部の上面との間に設けられ、
前記下側延在部が、前記上側延在部の水平方向の外周を囲繞するように配置される、
請求項１〜４のいずれか１項に記載の座椅子。
【請求項６】
前記基台が、前記床面と転動接触する車輪である、
請求項１〜３のいずれか１項に記載の座椅子。
【請求項７】
前記基台が、前記床面と転動接触する車輪であり、
前記座台が、
上面に前記座面を有する座部と、
前記座部の水平方向の外周側から下方に延びる下側延在部と
を備え、
前記付勢部が、前記座部の下面と前記車輪との間に設けられ、
前記下側延在部が、前記車輪の水平方向の外側に配置される、
請求項１〜３および６のいずれか１項に記載の座椅子。
【発明の詳細な説明】
【技術分野】
【０００１】
本発明は、座椅子に関する。
【背景技術】
【０００２】
従来、たとえば、和室などにおいて、使用者がくつろいで着座するために、座椅子が用いられている。座椅子は、一般的に、床面に対して滑りやすい構造を有しているため、持ち上げることなく床を滑らせて配置場所を容易に変更することができる。また、たとえば、座卓に対面して使用者が着座するために座椅子が用いられる場合には、使用者が立ち上がる際に座卓が邪魔になるが、座椅子を後ろに引くことで、使用者が立ち上がるためのスペースを確保できるので、使用者は容易に立ち上がることができる。
【０００３】
一方で、座椅子は、床面に対して滑りやすいために、使用者が着座した後に移動してしまうという問題がある。せっかく座椅子を最適な位置に配置しても、着座した後に移動してしまうと、使用者は、腰を浮かせて、座椅子の位置調整を行なう必要がある。このような問題を解決するために、たとえば特許文献１に開示されるように、座板の下面に滑り止め用弾性部材を設けて、座椅子の滑り止めが行なわれる。
【先行技術文献】
【特許文献】
【０００４】
【特許文献１】実開昭５３−１４２９０６号公報
【発明の概要】
【発明が解決しようとする課題】
【０００５】
ところが、特許文献１に開示されているように、座椅子に滑り止め機能を付与することによって、使用者が着座した後に座椅子が移動するという問題は解決することができるが、配置場所を容易に変更することができなくなる。また、たとえば、座卓に対面して使用者が着座するために座椅子が用いられる場合には、使用者が立ち上がる時に、使用者が立ち上がるためのスペースを確保するために座椅子を無理に後ろに引くと、座板の下面の摩擦力が大きいので畳などの床面を痛めるという問題が生じるおそれがあり、逆に座椅子を後ろに引かなければ、使用者が立ち上がるためのスペースを確保することができずに、座卓と座椅子が邪魔になって使用者は容易に立ち上がることができないという問題が生じる。
【０００６】
本発明は、上記問題に鑑みなされたもので、使用者が着座していない際には容易に移動可能で、使用者が着座している際には移動が抑制される座椅子を提供することを目的とする。
【課題を解決するための手段】
【０００７】
本発明の座椅子は、床面に載置され、使用者が腰掛けるために用いられる座椅子であって、前記床面に下端が接触するように、前記床面に載置される基台と、前記使用者が腰掛ける座面を上端に有し、前記基台に昇降可能に支持される座台と、前記基台と前記座台との間に設けられ、前記基台に対して前記座台を上方に付勢する付勢部とを備え、前記座椅子が、前記使用者の体重が前記座面に負荷されていない状態では、前記付勢部の付勢力により、前記基台に対して前記座台が上昇して、前記座台の下端が前記床面から離間し、前記使用者の体重が前記座面に負荷されている状態では、前記付勢部の付勢力に抗して、前記基台に対して前記座台が下降して、前記座台の下端が前記床面に接触するように構成されることを特徴とする。
【０００８】
また、前記付勢部が、前記座台に対して、前記座台の前側よりも後側の方が大きい付勢力を付与するように構成されていることが好ましい。
【０００９】
また、前記付勢部が負荷を受けていない状態において、前記座台が、前記床面に対して、前記座台の前側よりも後側の方が高くなるように構成されていることが好ましい。
【００１０】
また、前記基台の下端および前記座台の下端が、前記床面に摺動接触するように構成され、前記座台の下端が、前記基台の下端よりも、前記床面に対する摩擦係数が大きくなるように形成されていることが好ましい。
【００１１】
また、前記基台が、前記床面に下面が接触する接床部と、前記接床部の水平方向の外周側から上方に延びる上側延在部とを備え、前記座台が、上面に前記座面を有する座部と、前記座部の水平方向の外周側から下方に延びる下側延在部とを備え、前記付勢部が、前記座部の下面と前記接床部の上面との間に設けられ、前記下側延在部が、前記上側延在部の水平方向の外周を囲繞するように配置されることが好ましい。
【００１２】
また、前記基台が、前記床面と転動接触する車輪であることが好ましい。
【００１３】
また、前記基台が、前記床面と転動接触する車輪であり、前記座台が、上面に前記座面を有する座部と、前記座部の水平方向の外周側から下方に延びる下側延在部とを備え、前記付勢部が、前記座部の下面と前記車輪との間に設けられ、前記下側延在部が、前記車輪の水平方向の外側に配置されることが好ましい。
【発明の効果】
【００１４】
本発明によれば、使用者が着座していない際には容易に移動可能で、使用者が着座している際には移動が抑制される座椅子を提供することができる。
【図面の簡単な説明】
【００１５】
【図１】本発明の第１実施形態に係る座椅子の斜視図である。
【図２】本発明の第１実施形態に係る座椅子の平面図である。
【図３】図２のＡ−Ａ線切断端面図であり、使用者の体重が座台に負荷されていない状態を示す図である。
【図４】図２の座椅子における（ａ）座台のＡ−Ａ線切断端面図、（ｂ）付勢部のＡ−Ａ線切断端面図、および（ｃ）基台のＡ−Ａ線切断端面図である。
【図５】本発明の第１実施形態に係る座椅子の分解斜視図である。
【図６】図２のＡ−Ａ線切断端面図であり、使用者の体重が座台に負荷されている状態を示す図である。
【図７】図２のＡ−Ａ線切断端面図であり、座台が把持されて座椅子が持ち上げられた状態を示す図である。
【図８】本発明の第２実施形態に係る座椅子の側面図であり、使用者の体重が座台に負荷されていない状態を示す図である。
【図９】本発明の第２実施形態に係る座椅子の側面図であり、使用者の体重が座台に負荷されている状態を示す図である。
【図１０】図８の座椅子の後側の車輪付近の部分拡大側断面図である。
【図１１】図９の座椅子の後側の車輪付近の部分拡大側断面図である。
【図１２】本発明の第２実施形態に係る座椅子の裏面図である。
【発明を実施するための形態】
【００１６】
以下、添付図面を参照して、本発明の２つの実施形態（第１実施形態および第２実施形態）に係る座椅子１、１０を説明する。ただし、本発明の座椅子は、以下の２つの実施形態に限定されることはない。
【００１７】
本発明の２つの実施形態の座椅子１、１０は、図１および図８に示されるように、たとえば畳などの床面Ｆに載置され、使用者が腰掛けるために用いられる。「座椅子」という用語は、一般的には、和室で用いられる脚のない背もたれ用の椅子を意味する。しかし、本実施形態の座椅子１、１０は、「座椅子」のもつ一般的な用語の意味に限定されることはなく、たとえば洋室において用いることも可能である。また、本明細書においては、特に断らない限り、座椅子１、１０が略水平な床面Ｆに載置されていることを想定して、「水平」および「鉛直」の用語が用いられ、「上」および「下」の用語が、鉛直方向の「上」および「下」を意味するものとして用いられる。また、「前」および「後」の用語は、座椅子に着座した状態の使用者から見た「前」および「後」を意味するものとして用いられる。
【００１８】
（第１実施形態）
第１実施形態の座椅子１は、図１に示されるように、床面Ｆに載置される基台２と、基台２に昇降可能に支持される座台３と、基台２と座台３との間に設けられる付勢部４とを備えている。また、座椅子１は、着座した使用者が背中を凭れ掛けるための背凭れ５を備えている。背凭れ５は、本実施形態では、座台３と一体として成型される。座椅子１は、使用者が着座していない状態（図３の状態）では、付勢部４の付勢力によって、基台２に対して座台３が上昇し、使用者が着座している状態（図６の状態）では、付勢部４の付勢力に抗して、基台２に対して座台３が下降するように構成されている。
【００１９】
基台２は、図１に示されるように、下端が床面Ｆに接触するように床面Ｆに載置され、床面Ｆに対して、付勢部４を介して座台３を支持する部材である。基台２は、付勢部４を介して座台３に接続される。基台２は、本実施形態では、図３〜５に示されるように、床面Ｆに接触する接床部２１と、接床部２１の水平方向の外周側から上方に延びる上側延在部２２とを備えている。接床部２１は、床面Ｆと接触し、床面Ｆに対して、付勢部４を介して座台３を支持する。接床部２１は、本実施形態では、略矩形の板状に形成され、床面Ｆに対して略平行に配置される。接床部２１は、基台２の下端である下面２１ｂが床面Ｆに接触するように配置され、接床部２１の上面２１ａにおいて、付勢部４が接続される。上側延在部２２は、接床部２１とともに、付勢部４を挿入可能な付勢部挿入空間Ｓ１（図４（ｃ）および図５参照）を形成する。上側延在部２２は、本実施形態では、接床部２１の上面２１ａの水平方向の外周に沿った略矩形の枠状に形成されている。上側延在部２２は、上側延在部２２の水平方向の内側に、接床部２１の上面２１ａとともに、付勢部４を挿入可能な付勢部挿入空間Ｓ１を形成する。付勢部挿入空間Ｓ１は、上側延在部２２の水平方向の内周と接床部２１の上面２１ａとにより区切られ、基台２の上側に開口を有する空間である。付勢部挿入空間Ｓ１は、その水平面内の大きさが、付勢部４が水平方向に広がった時の最大サイズと略同一の大きさになるように形成される（図６参照）。したがって、付勢部挿入空間Ｓ１に挿入された付勢部４は、付勢部挿入空間Ｓ１内において水平方向に移動しようとしても、上側延在部２２の水平方向の内周面に当接するので、基台２に対する水平面内での移動が抑制される。
【００２０】
ただし、基台２は、床面Ｆに載置され、付勢部４を介して座台３を支持することができれば、上述した構成に限定されることはない。たとえば、基台２は、上述した接床部２１および上側延在部２２を有し、略円形や略多角形など形状のみ異なる構成とすることも可能であるし、枠状に形成されて、枠内で座台が昇降可能なような構成とすることも可能であるし、以下で述べる第２実施形態の座椅子１０ように、床面Ｆを転動する車輪として構成することも可能である。また、基台２は、使用者が座椅子１に着座した状態で、付勢部４を介して座台３を支持する強度を有していれば、その材質は特に限定されることはなく、木材、樹脂、金属などの任意の材料により形成することができる。
【００２１】
基台２は、本実施形態では、図３および図６に示されるように、基台２の下端（接床部２１の下面２１ｂ）が床面Ｆに摺動接触するように構成されている。そして、基台２の下端は、座台３の下端よりも、床面Ｆに対する摩擦係数（または摺動抵抗）が小さくなるように形成されている。ここで、後に詳しく述べるように、座椅子１は、使用者の体重が座台３に負荷されていない際には、座台３の下端が床面Ｆに接触しないように構成されている（図３参照）。したがって、座椅子１は、使用者の体重が座台３に負荷されていない際には、座台３の下端が床面Ｆに接触することなく、座台３の下端よりも摩擦係数の小さい基台２の下端が床面Ｆに摺動接触するので、床面Ｆに対して滑らせて容易に移動させることができる。なお、基台２の下端は、座台３の下端より摩擦係数が小さくなるように形成されていればよく、特に限定されることはないが、たとえば公知のテフロン（登録商標）やフェルトなどの摩擦係数の小さい材料が設けられてもよいし、後述するように、座台３の下端に摩擦係数の大きい滑り止め部材３４が設けられて、基台２の下端はそのような摩擦係数の大きい部材が設けられない構成とされてもよい。ただし、基台２は、床面Ｆに対して摺動接触するのではなく、上述したように、車輪として構成されて床面Ｆに対して転動接触するように構成されていてもよい。
【００２２】
基台２は、本実施形態では、図２〜図５に示されるように、基台２に対する座台３の昇降方向Ｄの移動を案内する案内部２３を備えている。案内部２３は、後述する座台３の被案内部３３と協働して、基台２に対する座台３の昇降方向Ｄの移動を案内するとともに、所定範囲以上の昇降方向Ｄの移動を規制する。案内部２３は、基台２の上側延在部２２の上端２２ａに設けられ、上側延在部２２の上端２２ａから上側延在部２２の水平方向の外側に突出する部材として形成されている。案内部２３は、座台３の被案内部３３に対応する大きさに形成され、被案内部３３の延びる方向（座台３の昇降方向Ｄ）に沿って移動可能に構成されている。案内部２３および被案内部３３が、座台３の昇降方向Ｄに沿って互いに対して相対移動することで、基台２に対して座台３が昇降方向Ｄに沿って移動することができる。案内部２３は、本実施形態では、上側延在部２２を形成する４つの枠材のそれぞれに一つずつ、それぞれの枠材の水平方向の略中央に設けられている（図２および図５参照）。しかし、案内部２３は、座台３の被案内部３３と協働して、基台２に対する座台３の昇降方向Ｄの移動を案内するとともに、所定範囲以上の昇降方向Ｄの移動を規制することができれば、その形状や設けられる位置および数は限定されることはなく、たとえば被案内部３３が凸状に形成されるのに対応して凹状に形成されてもよいし、上側延在部２２の他の位置に設けられていてもよい。なお、所定範囲以上の昇降方向Ｄの移動の規制については、以下において詳しく述べる。
【００２３】
座台３は、図１に示されるように、使用者が腰掛ける座面３１ａを上端に有し、使用者が腰掛けるための部材である。座台３は、付勢部４を介して基台２に対して昇降可能に接続される。座台３は、後に詳しく述べるように、使用者が座椅子１に腰掛けていない際には、基台２に対して上昇して、付勢部４を介して基台２に支持され（図３の状態）、使用者が座椅子１に腰掛けている際には、基台２に対して下降して、座台３の下端が床面Ｆに接触して使用者を支持する（図６の状態）。
【００２４】
座台３は、本実施形態では、図３〜５に示されるように、座台３の上端である上面に座面３１ａを有する座部３１と、座部３１の水平方向の外周側から下方に延びる下側延在部３２とを備えている。座部３１は、使用者が腰掛ける座面３１ａを有し、付勢部４が接続される。座部３１は、本実施形態では、略矩形の板状に形成され、上面に座面３１ａが設けられ、下面３１ｂに付勢部４が接続される。下側延在部３２は、基台２に対して座台３が下降したときに、床面Ｆに接触する。また、下側延在部３２は、座部３１とともに、基台２を挿入可能な基台挿入空間Ｓ２（図４（ａ）および図５参照）を形成する。下側延在部３２は、本実施形態では、座部３１の下面３１ｂの水平方向の外周に沿った略矩形の枠状に形成され、下側延在部３２の水平方向の内側に、座部３１の下面３１ｂとともに、基台２を挿入可能な基台挿入空間Ｓ２を形成する。基台挿入空間Ｓ２は、下側延在部３２の内周と座部３１の下面３１ｂとにより区切られ、座台３の下側に開口を有する空間である。基台挿入空間Ｓ２は、水平面内の形状および大きさが基台２の水平面内の形状および大きさと略同一であるように形成される。そして、下側延在部３２は、基台２の上側延在部２２の水平方向の外周を囲繞するように配置される。したがって、使用者が座椅子１に腰掛けている際には、基台２に対して座台３が下降して、座台３の水平方向の外周側に配置された下側延在部３２の下端３２ｂが床面Ｆに接触して使用者を支持するので（図６の状態）、最も荷重のかかる部位が座椅子１の水平方向の外周側に配置されるので、使用者が着座した際の着座姿勢が安定する。また、基台挿入空間Ｓ２の水平面内の形状および大きさが基台２の水平面内の形状および大きさと略同一に形成されることで、基台２に対する座台３の水平方向の移動が抑制され、基台２に対する座台３の水平方向での位置が安定する。
【００２５】
ただし、座台３は、使用者の体重が負荷されていない状態で床面Ｆに接触することがなく、使用者の体重が負荷されている状態で床面Ｆに接触するように構成されていればよく、上述した構成に限定されることはない。たとえば、座台３は、上述した座部３１および下側延在部３２を有し、略円形や略多角形など形状のみ異なる構成としてもよいし、基台を枠状に構成し、基台の枠内に昇降可能に挿入されるような構成としてもよい。また、座台３は、使用者が腰掛けた状態で使用者を支持することができれば、その材質は特に限定されることはなく、木材、樹脂、金属などの任意の材料により形成することができる。
【００２６】
座台３は、本実施形態では、図６に示されるように、使用者が腰掛けて、使用者の体重が負荷されている際に、座台３の下端（下側延在部３２の下端３２ｂ）が床面Ｆに摺動接触するように構成されている。そして、座台３の下端は、基台２の下端よりも、床面Ｆに対する摩擦係数（または摺動抵抗）が大きくなるように形成されている。したがって、座椅子１は、使用者が着座している際には、基台２の下端よりも摩擦係数の大きい座台３の下端が床面Ｆに摺動接触することにより、床面Ｆに対する摩擦力が増加し、より滑りにくくなって、着座位置がより安定する。なお、座台３の下端は、基台２の下端よりも摩擦係数が大きくなるように形成されていればよく、特に限定されることはないが、本実施形態では、図３や図４（ａ）に示されるように、滑り止め部材３４が設けられている。滑り止め部材３４としては、座台３の下端の摩擦係数が基台２の下端の摩擦係数よりも大きくなるような部材であれば、特に限定されることはなく、たとえば摩擦係数の大きいゴム製のシート状部材を用いることができる。また、座台３の下端は、基台２の下端よりも、床面Ｆに対する摩擦係数が大きければ大きいほど好ましい。たとえば、基台２の下端の摩擦係数に対する座台３の下端の摩擦係数の比（座台／基台）としては、特に限定されることはないが、前から後に行くほど好ましい順に、１．５以上、３．０以上、６．０以上、２０．０以上、５０．０以上である。
【００２７】
座台３は、本実施形態では、図２〜図５に示されるように、基台２に対する座台３の昇降方向Ｄの移動を案内する被案内部３３を備えている。被案内部３３は、上述したように、基台２の案内部２３と協働して、基台２に対する座台３の昇降方向Ｄの移動を案内するとともに、所定範囲以上の昇降方向Ｄの移動を規制する。被案内部３３は、図５に示されるように、座台３の下側延在部３２の上端３２ａから、座台３の昇降方向Ｄに沿って延びる凹状の溝として形成されている。被案内部３３が、その延びる方向に沿って、基台２の案内部２３に案内されることで、基台２に対して座台３が昇降方向Ｄに沿って案内される。また、被案内部３３は、図３に示されるように、座台３の座部３１の下面３１ｂにおいて上側が終端し（上側終端部３３ａ）、下側延在部３２の上端３２ａと下端３２ｂとの間で下側が終端している（下側終端部３３ｂ）。被案内部３３は、被案内部３３の上側終端部３３ａと下側終端部３３ｂとの間を越えた案内部２３の移動を規制し、基台２に対する座台３の所定範囲以上の昇降方向Ｄの移動を規制する。したがって、たとえば、図７に示されるように、基台２を持たずに座台３を持って座椅子１を持ち上げても、基台２に対する座台３の移動が所定範囲内に規制されるので、基台２が座台３から外れることがなく、座椅子１を容易に持ち運びすることができる。なお、座台３の移動可能な所定範囲は、本実施形態では、被案内部３３の上側終端部３３ａと下側終端部３３ｂとの間で画定されるが、要望に応じて適宜設定が可能である。
【００２８】
付勢部４は、基台２に対して座台３を上方に付勢する部材である。付勢部４は、座台３の昇降方向Ｄに沿って負荷を受けていない場合は伸長状態にあり、座台３の昇降方向Ｄに沿って負荷を受けると収縮状態に変化し、座台３の昇降方向Ｄに沿った負荷が取り除かれると伸長状態に復元する復元力を有している。付勢部４は、図３に示されるように、一方の端部が座台３に接続され、他方の端部が基台２に接続される。付勢部４は、使用者の体重が座台３の座面３１ａに負荷されていない状態では、座台３の下端が床面Ｆから離間するように、伸長して、基台２に対して座台３を上昇させ（図３の状態）、使用者の体重が座台３の座面３１ａに負荷されている状態では、座台３の下端が床面Ｆに接触するように、収縮して、基台２に対して座台３を下降させる（図６の状態）ように形成されている。付勢部４は、本実施形態では、座台３の座部３１の下面３１ｂと基台２の接床部２１の上面２１ａとの間に設けられ、一方の端部である上面４ａが座台３の下面３１ｂに接続され、他方の端部である下面４ｂが接床部２１の上面２１ａに接続される。
【００２９】
付勢部４が座台３に対して付与する付勢力は、使用者の体重が座台３の座面３１ａに負荷されていない状態では、座台３の下端を床面Ｆから離間させ、使用者の体重が座台３の座面３１ａに負荷されている状態では、座台３の下端を床面Ｆに接触させることができれば、特に限定されることはなく、座台３から受ける力に応じて適宜設定することが可能である。たとえば、付勢部４は、座台３に対して、座台３の前側（背凭れ５のある側とは反対側）よりも後側（背凭れ５のある側）の方が大きい付勢力を付与するように構成されていてもよい。ここで、座椅子は、一般的に、脚のある椅子と比べて、着座部分と背凭れ部分だけで構成され、脚部分が無いので、重心が後側に位置する。座椅子は、重心が後側に位置することによって、たとえば、使用者が着座していないような場合には、後側に傾倒するようなモーメントを受ける。しかし、付勢部４の付勢力を、座台３の前側よりも後側の方を大きくすることで、後側に傾倒するようなモーメントに対抗することができ、座椅子１の後側への傾倒を抑制することができる。付勢部４０の付勢力は、たとえば、座椅子１を床面Ｆに載置して、座台３の座面３１ａに使用者の体重が負荷されておらず、座台３および背凭れ５の荷重だけが付勢部４０に負荷された状態で、座台３の下端が床面Ｆに対して略平行になるように設計することができる。ただし、付勢部４０の付勢力は、座椅子１の後側への傾倒を抑制するように設計されていればよく、同じ状態で、座台３の下端が床面Ｆに対して略平行からわずかに傾斜するように設計されていても構わない。
【００３０】
付勢部４は、本実施形態では、スポンジなどの樹脂製のクッション材により構成されている。付勢部４は、クッション材により構成されることで、任意の形状および大きさに形成可能であり、たとえば広い面積にすることで、肉厚を薄くしても十分な付勢力を確保することができる。クッション材の肉厚を薄くすることで、基台２および座台３の肉厚も薄くすることが可能で、それによって、座椅子１の床面Ｆからの座高（着座高さ）を低くすることができる。クッション材を構成する材料としては、特に限定されることはなく、たとえば、ウレタン、ポリウレタン、ポリエチレンなどが例示される。
【００３１】
付勢部４は、図２〜６に示されるように、基台２の付勢部挿入空間Ｓ１に対応する形状を有している。より具体的には、付勢部４は、座台３の昇降方向Ｄに沿って負荷を受けると、昇降方向Ｄに沿って収縮すると同時に、昇降方向Ｄに対して略垂直な水平方向にわずかに伸長するが、この水平方向に伸長したときの最大サイズが基台２の付勢部挿入空間Ｓ１の水平面内の大きさと略同一になるように形成されている（図６参照）。したがって、付勢部４は、基台２の付勢部挿入空間Ｓ１のほぼ全体に亘って配置され、付勢部挿入空間Ｓ１内で水平方向に移動しようとしても、上側延在部２２の内周に当接して、付勢部挿入空間Ｓ１内での水平方向の移動が抑制されるので、座台３に対して水平面内で略均一に付勢力を付与することができる。なお、座台３の昇降方向Ｄに沿って負荷を受けたときに水平方向に伸張しないような部材（たとえばバネ部材）を付勢部４として用いる場合には、負荷を受ける前の付勢部４と付勢部挿入空間Ｓ１とが、水平面内の大きさが略同一になるように形成されてもよい。
【００３２】
付勢部４は、本実施形態では、図３〜図５に示されるように、略矩形の板状に形成され、付勢部４の上面４ａが座台３の座部３１の下面３１ｂに面接触するように接続され、付勢部４の下面４ｂが基台２の接床部２１の上面２１ａに面接触するように接続される。付勢部４は、基台２および座台３に対して面接触だけで接続されて、取り外し自在に設けられている。付勢部４が、取り外し自在に設けられていることで、使用中のクッション材が劣化したとしても、新しいクッション材に容易に交換することができるので、付勢部４の付勢力を容易に適正範囲に維持することができる。また、接続金具などの機械的な接続手段を用いないで付勢部４を基台２および座台３に接続することで、機械的な接続手段に要する高さを省略することができ、座椅子１の床面Ｆからの座高を低く抑えることが可能である。
【００３３】
付勢部４は、使用者の体重が座台３の座面３１ａに負荷されていない状態では、座台３の下端が床面Ｆから離間するように伸長し、使用者の体重が座台３の座面３１ａに負荷されている状態では、座台３の下端が床面Ｆに接触するように収縮するように構成されていればよく、その形状、材質、基台２および座台３との接続方法は、上記構成に限定されることはない。たとえば、付勢部４は、座椅子１の前側よりも後側の方が厚くなるように、座椅子１の前後方向に沿った断面が略台形状に形成されていてもよい。付勢部４の前側よりも後側の方が厚く形成されることで、座台３は、付勢部４が負荷を受けていない状態において、床面Ｆに対して、座台３の前側よりも後側の方が高くなるように構成される。座台３の前側よりも後側が高くなって、座台３および背凭れ５が床面Ｆに対して前方に傾斜することで、座椅子１の重心が前方へと移動する。座椅子１の重心が前方に移動することで、座椅子１が後側に傾倒するようなモーメントを軽減することができ、座椅子１の後側への傾倒を抑制することができる。座台３の高さは、たとえば、座椅子１を床面Ｆに載置して、座台３の座面３１ａに使用者の体重が負荷されておらず、座台３および背凭れ５の荷重だけが付勢部４に負荷された状態で、座台３の下端が床面Ｆに対して略平行になるように設計することができる。ただし、座台３の高さは、座椅子１の後側への傾倒を抑制するように設計されていればよく、同じ状態で、座台３の下端が床面Ｆに対して略平行からわずかに傾斜するように設計されていても構わない。
【００３４】
また、付勢部４は、樹脂製のクッション材に限定されることはなく、たとえば付勢力を有するバネ部材により構成されていてもよい。また、付勢部４と基台２および座台３との接続方法としては、上記構成に限定されることはなく、たとえば接着剤や接着テープなどを採用することが可能であり、付勢部４としてバネ部材を用いる場合には、たとえばボルトおよびナットなどの公知の接続手段を採用することも可能であるし、付勢部挿入空間Ｓ１内に伸縮自在に嵌入する方法を採用することができる。
【００３５】
つぎに、主に図５を参照して、本実施形態の座椅子１の組み立て方法を説明する。ただし、以下の説明は一例であり、本発明の座椅子は、以下の説明に限定されることはない。
【００３６】
本実施形態の座椅子１は、図５に示されるように、基台２に付勢部４を介して座台３を接続することにより組み立てられる。
【００３７】
先ず、接床部２１の上面２１ａの水平方向の外周に沿って、上側延在部２２が固定されることで、基台２が作製される。接床部２１に対する上側延在部２２の固定は、特に限定されることはなく、接着剤やビスなどの公知の固定手段により行なわれる。基台２には、上側延在部２２の上端２２ａから上側延在部２２の水平方向の外側に突出するように、上側延在部２２の上端２２ａに案内部２３が設けられる。
【００３８】
次に、基台２の接床部２１の上面２１ａと、基台２の上側延在部２２の水平方向の内周とによって画定される付勢部挿入空間Ｓ１に、付勢部４が挿入される。このとき、付勢部４の下面４ｂと接床部２１の上面２１ａとは、互いに取り外し可能なように、面接触により接続される。
【００３９】
次に、上述した基台２および付勢部４が、座台３の一部として構成される下側延在部３２の上側から、下側延在部３２により形成される基台挿入空間Ｓ２内に挿入される。このとき、基台２の案内部２３は、下側延在部３２に設けられた被案内部３３に沿って下方に移動するが、移動し続けると被案内部３３の下側終端部３３ｂに当接するので、下側終端部３３ｂを越えて移動することはない（図７を参照）。
【００４０】
最後に、下側延在部３２の上端３２ａに座部３１が固定されることによって、座台３に付勢部４が接続されて、座椅子１の組み立てが完了する。座部３１に対する下側延在部３２の固定は、特に限定されることはなく、ビスなどの公知の固定手段により行なわれる。このとき、座部３１の下面３１ｂと付勢部４の上面４ａとは、互いに取り外し可能なように、面接触により接続される。
【００４１】
つぎに、図３、図６および図７を参照して、本実施形態の座椅子１の作用・効果について説明する。ただし、本発明の座椅子は、以下の説明に限定されることはない。
【００４２】
図３は、図２のＡ−Ａ線切断端面図であり、座台３に使用者の体重が負荷されていない座椅子１の状態を示している。図３に見られるように、座椅子１は、使用者の体重が座台３の座面３１ａに負荷されていない状態では、付勢部４の付勢力により、基台２に対して座台３が上昇して、座台３の下端（下側延在部３２の下端３２ｂ）が床面Ｆから離間するように構成されている。この状態では、座椅子１は、座台３の下端が床面Ｆに接触することなく、基台２の下端（接床部２１の下面２１ｂ）だけが床面Ｆに接触した状態であるので、床面Ｆに対して滑りやすく、座椅子１を持ち上げることなく床面Ｆを滑らせながら配置場所を容易に変更することができる。
【００４３】
図６は、図２のＡ−Ａ線切断端面図であり、座台３に使用者の体重が負荷されている座椅子１の状態を示している。図６に見られるように、座椅子１は、使用者の体重が座台３の座面３１ａに負荷されている状態では、付勢部４の付勢力に抗して、基台２に対して座台３が下降して、座台３の下端（下側延在部３２の下端３２ｂ）が床面Ｆに接触するように構成されている。この状態では、座椅子１は、基台２の下端（接床部２１の下面２１ｂ）に加えて、座台３の下端も床面Ｆに接触して、（図３の状態と比べると）床面Ｆとの接触面積が増加するので、床面Ｆに対して滑りにくくなって移動が制限され、着座位置が安定する。座椅子１は、本実施形態では、座台３の下端が、基台２の下端よりも、床面Ｆに対する摩擦係数（または摺動抵抗）が大きくなるように形成されているので、座台３の下端が床面Ｆに接触した際に、より摩擦力が増加するので、より滑りにくくなって、着座位置がより安定する。
【００４４】
以上に示したように、本実施形態の座椅子１は、使用者が着座していない際には、床面Ｆに対して滑り易く、容易に移動可能であり、使用者が着座している際には、床面Ｆに対して滑りにくく、移動が抑制される。つまり、座椅子１は、使用者が着座していない状態で、持ち上げることなく床面Ｆを滑らせて配置場所を容易に変更することができるとともに、使用者が着座した後には、床面Ｆ上を移動するのが抑制されて、着座位置が安定する。そして、たとえば、座卓に対面して使用者が着座するために座椅子１が用いられる場合には、使用者が立ち上がる際に座卓が邪魔になるが、座椅子１を床面Ｆに沿って後ろに引くことで、使用者が立ち上がるためのスペースを確保できるので、使用者は容易に立ち上がることができる。
【００４５】
また、座椅子１は、図３および図６に示されるように、基台２および座台３がそれぞれ、案内部２３および被案内部３３を備えることで、使用者の体重が座台３に負荷されていない状態と負荷された状態との間を移行する際に、基台２に対する座台３の昇降方向Ｄの移動が案内されて、基台２に対する座台３の水平方向の移動が抑制される。また、座椅子１は、座台３の下側延在部３２の水平方向の内側に形成される基台挿入空間Ｓ２（図４（ａ）および図５参照）の水平面内の形状および大きさを基台２の水平面内の形状および大きさと略同一とすることで、基台２に対して座台３が水平方向で移動しようとしても、基台２が下側延在部３２の内周に当接して、基台２に対する座台３の水平方向の移動が抑制される。このように、基台２に対する座台３の水平方向の移動を抑制することで、基台２に対して座台３が水平方向にずれることが抑制されるので、使用者は安心して座椅子１に腰掛けることができる。
【００４６】
図７は、図２のＡ−Ａ線切断端面図であり、座台３が把持されて座椅子１が持ち上げられた状態を示している。図７に見られるように、座台３が持ち上げられると、基台２に対して座台３が昇降方向Ｄの上側に移動するが、座台３の被案内部３３の下側終端部３３ｂが基台２の案内部２３に当接することで、基台２に対する座台３の昇降方向Ｄの上側への移動が停止する。これにより、持ち上げられる座台３の動きに追従して、基台２も一緒に持ち上げられる。したがって、基台２を把持することなく座台３のみを把持して座椅子１を持ち上げても、基台２が座台３から外れることがなく、基台２とともに持ち上げることができるので、座椅子１の持ち運びが容易である。
【００４７】
（第２実施形態）
つぎに、図８〜１２を参照して、本発明の第２実施形態に係る座椅子１０を説明する。図８〜１２では、上述した第１実施形態に係る座椅子１と同一の構成要素に同じ符号が付されている。以下においては、第２実施形態の座椅子１０について、第１実施形態の座椅子１との相違点を中心に説明し、第１実施形態の座椅子１と共通する点の説明は省略する。
【００４８】
第２実施形態の座椅子１０は、図８に示されるように、床面Ｆに載置される基台２０と、基台２０に昇降可能に支持される座台３と、基台２０と座台３との間に設けられる付勢部４０とを備えている。また、座椅子１０は、着座した使用者が背中を凭れ掛けるための背凭れ５を備えている。背凭れ５は、本実施形態では、座台３と一体として成型される。座椅子１０は、使用者が着座していない状態（図８の状態）では、付勢部４０の付勢力によって、基台２０に対して座台３が上昇し、使用者が着座している状態（図９の状態）では、付勢部４０の付勢力に抗して、基台２０に対して座台３が下降するように構成されている。
【００４９】
基台２０は、本実施形態では、図８に示されるように、床面Ｆと転動接触する車輪である。以下では、基台を車輪という。車輪２０は、下端が床面Ｆに接触するように床面Ｆに載置され、床面Ｆに対して、付勢部４０を介して座台３を支持する部材である。車輪２０は、床面Ｆ上を転動可能に構成される。車輪２０は、座台３との間に付勢部４０が設けられ、付勢部４０を介して座台３に回転可能に接続される。車輪２０は、本実施形態では、付勢部４０とともに、座台３に接続されるキャスタ装置６の一部として構成されて、座台３に接続される。ただし、車輪２０は、座台３に対して回転可能に接続され、付勢部４０を介して座台３を支持することができれば、キャスタ装置６以外の装置を用いて座台３に接続されてもよい。
【００５０】
キャスタ装置６は、図１０に詳しく示されるように、車輪２０と、フレーム６１と、フレーム６１内に収容される付勢部４０と、フレーム６１内に収容され、床面Ｆに対して略平行に延びる、車輪２０の車軸６２と、フレーム６１内に収容され、車軸６２を回転可能に支持する軸受部材６３と、床面Ｆに対して略垂直に延びる回転軸を中心として水平面内で回転可能にフレーム６１が取り付けられる取付部材６４とを備えている。キャスタ装置６は、取付部材６４を介して、座台３の座部３１の下面３１ｂに（図示された例では後述する介在部材３５を介して）取り付けられる。キャスタ装置６では、軸受部材６３が座椅子１０の昇降方向Ｄに沿って移動可能にフレーム６１内に収容され、フレーム６１内の固定壁と軸受部材６３との間に付勢部４０が設けられる。車輪２０は、付勢部４０を介して、フレーム６１およびフレーム６１が接続される座台３を支持する。
【００５１】
本実施形態では、図１２に示されるように、複数の車輪２０（および付勢部４０）が座台３に接続されている。より具体的には、車輪２０（および付勢部４０）は、座台３の前側（背凭れ５のある側とは反対側、図中左側）より後側（背凭れ５のある側、図中右側）の方が多くなるように配置される（図示された例では、座台３の前側に２つ、座台３の後側に３つ）。これにより、付勢部４０は、全体として、座台３に対して、座台３の前側よりも後側の方が大きくなる付勢力を付与するように構成される。ここで、上述したように、座椅子は、一般的に、脚のある椅子と比べて、重心が後側に位置し、後側に傾倒するようなモーメントを受ける。しかし、本実施形態の座椅子１０では、座台３の前側よりも後側の方が、付勢力が大きくなるように構成されているので、後側に傾倒するようなモーメントに対抗することができ、座椅子１０の後側への傾倒を抑制することができる。本実施形態では、図８に示されるように、座椅子１０を床面Ｆに載置して、座台３の座面３１ａに使用者の体重が負荷されておらず、座台３および背凭れ５の荷重だけが付勢部４０に負荷された状態で、座台３の下端が床面Ｆに対して略平行になるように、付勢部４０の付勢力が設計されている。ただし、付勢部４０の付勢力は、座椅子１０の後側への傾倒を抑制するように設計されていればよく、同じ状態で、座台３の下端が床面Ｆに対して略平行からわずかに傾斜するように設計されていても構わない。
【００５２】
複数の車輪２０は、本実施形態では、図１２に示されるように、座台３の基台挿入空間Ｓ２の水平面内にすべて配置されている。つまり、座台３の下側延在部３２は、複数の車輪２０の水平方向の外側に配置される。したがって、使用者が座椅子１０に腰掛けている際には、車輪２０に対して座台３が下降して、座台３の水平方向の外周側に配置された下側延在部３２の下端３２ｂが床面Ｆに接触して使用者を支持するので（図９および図１１の状態）、最も荷重のかかる部位が座椅子１０の水平方向の外周側に位置し、使用者が着座した際の着座姿勢が安定する。
【００５３】
車輪２０は、本実施形態では、付勢部４０が負荷を受けていない状態で、座台３からの距離が座台３の前側よりも後側の方が大きくなるように、座台３に接続されている。より具体的には、図８は、座台３および背凭れ５の荷重だけが付勢部４０に負荷された状態を示しているが、この図８を参照すると、座台３の前側（図中左側）のキャスタ装置６は、座台３の座部３１の下面３１ｂに直接取り付けられるのに対して、座台３の後側（図中右側）のキャスタ装置６は、介在部材３５を介して、座台３の座部３１の下面３１ｂに間接的に取り付けられる。これにより、座台３は、付勢部４０が負荷を受けていない状態において、床面Ｆに対して、座台３の前側よりも後側の方が高くなるように構成される。座台３の前側よりも後側の方が高くなって、座台３が前方に傾斜することで、座台３に取り付けられた背凭れ５も前方に傾斜し、それによって、座椅子１０の重心が前方へと移動する。これにより、座椅子１０は、座台３および背凭れ５の荷重が付勢部４０に負荷されても、後側に傾倒するようなモーメントを軽減することができ、後側への傾倒を抑制することができる。本実施形態では、図８に示されるように、座椅子１０を床面Ｆに載置して、座台３の座面３１ａに使用者の体重が負荷されておらず、座台３および背凭れ５の荷重だけが付勢部４０に負荷された状態で、座台３の下端が床面Ｆに対して略平行になるように、座台３の高さが設計されている。ただし、座台３の高さは、座椅子１０の後側への傾倒を抑制するように設計されていればよく、同じ状態で、座台３の下端が床面Ｆに対して略平行からわずかに傾斜するように設計されていても構わない。
【００５４】
車輪２０は、付勢部４０を介して座台３を支持することができれば、設けられる位置や数は上述した例に限定されることはない。たとえば、座台３の前側と後側に同じ数の車輪２０が設けられてもよい。また、座台３の後側の車輪が、座台３の前側の車輪と同様に、介在部材３５を介さずに、座台３の座部３１の下面３１ｂに直接取り付けられてもよい。また、車輪２０は、使用者が座台３に着座した際に座台３を支持する強度を有していれば、その材質は特に限定されることはなく、樹脂や金属などの任意の材料により形成することができる。
【００５５】
付勢部４０は、車輪２０に対して座台３を上方に付勢する部材である。付勢部４０は、座台３の昇降方向Ｄに沿って負荷を受けていない場合は伸長状態にあり、座台３の昇降方向Ｄに沿って負荷を受けると収縮状態に変化し、座台３の昇降方向Ｄに沿った負荷が取り除かれると伸長状態に復元する復元力を有している。付勢部４０は、一方の端部が座台３側に接続され、他方の端部が車輪２０側に接続される。付勢部４０は、本実施形態では、図１０に詳しく示されるように、座台３の座部３１の下面３１ｂと車輪２０との間に設けられる。より具体的には、付勢部４０は、座部３１の下面３１ｂに間接的に取り付けられたキャスタ装置６のフレーム６１内の固定壁と、車輪２０の車軸６２を支持する軸受部材６３との間に設けられる。付勢部４０は、使用者の体重が座台３の座面３１ａに負荷されていない状態では、座台３の下端が床面Ｆから離間するように、伸長して、基台２に対して座台３を上昇させ（図８および図１０の状態）、使用者の体重が座台３の座面３１ａに負荷されている状態では、座台３の下端が床面Ｆに接触するように、収縮して、基台２に対して座台３を下降させる（図９および図１１の状態）ように形成される。
【００５６】
付勢部４０は、本実施形態では、図８に示されるように、複数の車輪２０のそれぞれに対して１つずつ設けられた複数の付勢部により構成される。複数の車輪２０のそれぞれに設けられる個々の付勢部４０は、複数の付勢部４０が、全体として、使用者の体重が座台３に負荷されていない状態で、座台３の下端を床面Ｆから離間させ、使用者の体重が座台３に負荷されている状態で、座台３の下端を床面Ｆに接触させるような付勢力を有していればよく、所定の付勢力を有するように適宜設定することができる。たとえば、上述したように、複数の付勢部４０を、全体として、座台３の前側よりも後側の方が大きくなる付勢力を座台３に対して付与するように構成するためには、複数の付勢部４０のそれぞれの付勢力をすべて同じにして、座台３の前側より後側の方を車輪２０および付勢部４０の数が多くなるようにしてもよいし、座台３の前側と後側で車輪２０および付勢部４０の数を同じにして、座台３の後側に配置される付勢部４０の付勢力が前側より大きくなるようにしてもよい。付勢部４０は、本実施形態では、図１０に示されるように、コイルバネなどのバネ部材により構成されるが、上述した所定の付勢力を有していれば、バネ部材に限定されることはない。
【００５７】
つぎに、図８〜図１１を参照して、本実施形態の座椅子１０の作用・効果について説明する。ただし、本発明の座椅子は、以下の説明に限定されることはない。
【００５８】
図８および図１０を参照すると、座椅子１０は、使用者の体重が座台３の座面３１ａに負荷されていない状態では、付勢部４０の付勢力により、車輪２０に対して座台３が上昇して、座台３の下端（下側延在部３２の下端３２ｂ）が床面Ｆから離間するように構成されている。この状態では、座椅子１０は、座台３の下端が床面Ｆに接触することなく、車輪２０の下端だけが床面Ｆに接触した状態であるので、床面Ｆに対して滑りやすく（車輪２０が転動しやすく）、座椅子１０を持ち上げることなく床面Ｆを滑らせながら配置場所を容易に変更することができる。
【００５９】
図９および図１１を参照すると、座椅子１０は、使用者の体重が座台３の座面３１ａに負荷されている状態では、付勢部４０の付勢力に抗して、車輪２０に対して座台３が下降して、座台３の下端（下側延在部３２の下端３２ｂ）が床面Ｆに接触するように構成されている。この状態では、座椅子１０は、車輪２０の下端に加えて、座台３の下端も床面Ｆに接触して、（図８および図１０の状態と比べると）床面Ｆとの接触面積が増加するので、床面Ｆに対して滑りにくくなって移動が制限され、着座位置が安定する。また、座椅子１０は、本実施形態では、座台３の下端（下側延在部３２の下端３２ｂ）に滑り止め部材３４が設けられているので、座台３の下端が床面Ｆに接触した際に、より摩擦力が増加するので、より滑りにくくなって、着座位置がより安定する。
【００６０】
以上に示したように、本実施形態の座椅子１０は、使用者が着座していない際には、床面Ｆに対して滑り易く、容易に移動可能であり、使用者が着座している際には、床面Ｆに対して滑りにくく、移動が抑制される。つまり、座椅子１０は、使用者が着座していない状態で、持ち上げることなく床面Ｆを滑らせて配置場所を容易に変更することができるとともに、使用者が着座した後には、床面Ｆ上を移動するのが抑制されて、着座位置が安定する。そして、たとえば、座卓に対面して使用者が着座するために座椅子１０が用いられる場合には、使用者が立ち上がる際に座卓が邪魔になるが、座椅子１０を床面Ｆに沿って後ろに引くことで、使用者が立ち上がるためのスペースを確保できるので、使用者は容易に立ち上がることができる。
【符号の説明】
【００６１】
１、１０  座椅子
２、２０  基台
２１  接床部
２１ａ  接床部の上面
２１ｂ  接床部の下面
２２  上側延在部
２２ａ  上側延在部の上端
２２ｂ  上側延在部の下端
２３  案内部
３  座台
３１  座部
３１ａ  座面（座部の上面）
３１ｂ  座部の下面
３２  下側延在部
３２ａ  下側延在部の上端
３２ｂ  下側延在部の下端
３３  被案内部
３３ａ  上側終端部
３３ｂ  下側終端部
３４  滑り止め部材
３５  介在部材
４、４０  付勢部
４ａ  付勢部の上面
４ｂ  付勢部の下面
５  背凭れ
６  キャスタ装置
６１  フレーム
６２  車軸
６３  軸受部材
６４  取付部材
Ｄ  座台の昇降方向
Ｆ  床面
Ｓ１  付勢部挿入空間
Ｓ２  基台挿入空間
【図１】
2019198458.tif 000003
【図２】
2019198458.tif 000004
【図３】
2019198458.tif 000005
【図４】
2019198458.tif 000006
【図５】
2019198458.tif 000007
【図６】
2019198458.tif 000008
【図７】
2019198458.tif 000009
【図８】
2019198458.tif 000010
【図９】
2019198458.tif 000011
【図１０】
2019198458.tif 000012
【図１１】
2019198458.tif 000013
【図１２】
2019198458.tif 000014